(57)【要約】【課題】紗の撚れを防止し、クリームはんだを正確に印刷することができるメタルマスク版を提供する。【解決手段】本発明に係るコンビネーションメタルマスク版１０は、四角形の版枠１２の内側に、版枠１２よりも小さな四角形のメタルマスク１４が、該メタルマスク１４の各辺のエッジ部と版枠１２の対向する内壁との間に所要の間隔が開くようにして、紗１６を介して張設されたコンビネーションメタルマスク版１０であって、メタルマスク１４の各辺に外方に延びる１または複数の連結片１４ａが形成され、連結片１４ａが版枠１２に固定されていることを特徴とする。【選択図】図１
2020032624.tif 000002
【特許請求の範囲】
【請求項１】
四角形の版枠の内側に、前記版枠よりも小さな四角形のメタルマスクが、該メタルマスクの各辺のエッジ部と前記版枠の対向する内壁との間に所要の間隔が開くようにして、紗を介して張設されたコンビネーションメタルマスク版であって、
前記メタルマスクの各辺に外方に延びる１または複数の連結片が形成され、該連結片が前記版枠に固定されていることを特徴とするコンビネーションメタルマスク版。
【請求項２】
前記版枠と前記紗との間、前記紗と前記メタルマスクとの間、および前記版枠と前記連結片との間が接着剤によって固定されていることを特徴とする請求項１記載のコンビネーションメタルマスク版。
【請求項３】
前記連結片が、前記メタルマスクの各辺の中央部および両端部に設けられていることを特徴とする請求項１または２記載のコンビネーションメタルマスク版。
【請求項４】
四角形の版枠の内側に、前記版枠よりも小さな四角形のメタルマスクが、該メタルマスクの各辺のエッジ部と前記版枠の対向する内壁との間に所要の間隔が開くようにして、紗を介して張設されるコンビネーションメタルマスク版用の、前記メタルマスクであって、
各辺に、前記版枠に固定される、外方に延びる１または複数の連結片が形成されていることを特徴とするコンビネーションメタルマスク版用メタルマスク。
【請求項５】
前記連結片が、各辺の中央部および両端部に設けられていることを特徴とする請求項４記載のコンビネーションメタルマスク版用メタルマスク。
【発明の詳細な説明】
【技術分野】
【０００１】
本発明はコンビネーションメタルマスク版（以下単にメタルマスク版という）および該メタルマスク版用メタルマスクに関する。
【背景技術】
【０００２】
プリント基板に各種電子部品を実装する場合、実装する電子部品の電極部に対応して設けたプリント基板の電極部に、メタルマスク版を用いてクリームはんだを印刷し、マウンターにより電子部品をプリント基板上の所定位置に搭載し、このプリント基板をリフロー炉に通して、電子部品をはんだ付けして実装するようにしている。
メタルマスク版としては、特許文献１（特許第５８５９１６５号）に示されるタイプのものと、特許文献２（特開２０１４−６９４０４号公報）に示されるタイプの２種類に大別される。
【０００３】
特許文献１に示されるメタルマスク版は、メタルマスクの周縁部に係止孔を設け、メタルマスク版の版枠に設けた係止ピンが係止孔に挿通されるようにしてメタルマスクを版枠に装着し、係止ピンを版枠に設けた機構により、外方に移動させて、メタルマスクを引っ張り、これによりメタルマスクに所要のテンションを付与してメタルマスクを版枠に張設するようにしたものである。
【０００４】
一方、特許文献２に示されるメタルマスク版は、四角形の版枠の内側に、前記版枠よりも小さな四角形のメタルマスクを、該メタルマスクの各辺のエッジ部と前記版枠の対向する内壁との間に所要の間隔が開くようにして、中央部をカットした紗（網状シート）を版枠とメタルマスクの周縁部に橋渡し状にして介在させて両者を接着剤により接着し、これによりメタルマスクを版枠に張設するようにしたものである。
【先行技術文献】
【特許文献】
【０００５】
【特許文献１】特許第５８５９１６５号
【特許文献２】特開２０１４−６９４０４号公報
【発明の概要】
【発明が解決しようとする課題】
【０００６】
特許文献１に示されるメタルマスク版によれば、メタルマスクに大きな張力を付与した状態でメタルマスクを版枠に固定できるので、スキージをメタルマスク上で移動させてクリームはんだをプリント基板に印刷する際、スキージからメタルマスク上に大きな力が加わっても、メタルマスクが撚れることがなく、プリント基板の所定位置に精度よくクリームはんだを印刷できる利点がある。しかしながら、メタルマスクに大きな張力が付与された状態であるので、メタルマスクの板厚方向への動きは減殺され、メタルマスクのプリント基板からの所謂版離れがあまりよくない、という構造上からくる問題はある。
【０００７】
この点、特許文献２に示されるメタルマスク版によれば、網状シートからなる紗が弾性力を有するので、メタルマスクに対するスキージからの力が解放された際、紗の弾性力によりメタルマスクが浮き上がりやすくなり、メタルマスクの版離れが良好となり、クリームはんだの「にじみ」が防止でき、クリームはんだをきれいに印刷できる利点がある。
【０００８】
しかしながら、メタルマスクが紗を介して版枠に固定されるメタルマスク枠の場合、網状シートからなる紗の強度が低いことから、印刷の際スキージをメタルマスク上で移動させると、紗が撚れ（ゆがみ）、メタルマスクが縦横方向（スキージの移動方向）に僅かながらも位置ずれするという課題がある。
特に昨今、スマートフォンなどの電子情報機器のさらなる小型化が進み、これに搭載される電子部品の小型化が著しく（例えば電極幅が数十μｍ）、メタルマスクが、例えば横方向に数十μｍ位置ずれしただけでも、プリント基板の電極上にクリームはんだを印刷することができなくなるという課題がある。
【課題を解決するための手段】
【０００９】
本発明は、上記課題を解決すべくなされたものであり、その目的とするところは、紗を介してメタルマスクが版枠に固定されるメタルマスク版にあって、紗の撚れを防止し、クリームはんだを正確に印刷することができるメタルマスク版およびメタルマスク版用メタルマスクを提供することにある。
【００１０】
上記の目的を達成するため、本発明は次の構成を備える。
すなわち、本発明に係るコンビネーションメタルマスク版は、四角形の版枠の内側に、前記版枠よりも小さな四角形のメタルマスクが、該メタルマスクの各辺のエッジ部と前記版枠の対向する内壁との間に所要の間隔が開くようにして、紗を介して張設されたコンビネーションメタルマスク版であって、前記メタルマスクの各辺に外方に延びる１または複数の連結片が形成され、該連結片が前記版枠に固定されていることを特徴とする。
【００１１】
前記版枠と前記紗との間、前記紗と前記メタルマスクとの間、および前記版枠と前記連結片との間を接着剤によって固定するようにするとよい。
また、前記連結片を、前記メタルマスクの各辺の中央部および両端部に設けるようにすると好適である。
【００１２】
また、本発明に係るコンビネーションメタルマスク版用メタルマスクは、四角形の版枠の内側に、前記版枠よりも小さな四角形のメタルマスクが、該メタルマスクの各辺のエッジ部と前記版枠の対向する内壁との間に所要の間隔が開くようにして、紗を介して張設されるコンビネーションメタルマスク版用の、前記メタルマスクであって、各辺に、前記版枠に固定される、外方に延びる１または複数の連結片が形成されていることを特徴とする。
前記連結片を、各辺の中央部および両端部に設けると好適である。
【発明の効果】
【００１３】
本発明によれば、メタルマスクはその各辺から外方に延びる連結片が版枠に固定されているので、スキージの移動に対し、所要の抗力を有し、スキージの移動方向（横方向）への位置ずれが防止され、プリント基板上の所要位置に正確にクリームはんだを印刷することができる。また、連結片は、メタルマスクの各辺の全幅に亘って設けられているわけではないので、紗の弾性力は所要に維持され、これにより、スキージからの押圧力が解除された際の、メタルマスクの版離れが維持され、プリント基板にクリームはんだを外方ににじませることなくきれいに印刷することができるという効果を奏する。
【図面の簡単な説明】
【００１４】
【図１】メタルマスク版の底面図である。
【図２】図１におけるＡ−Ａ線端面図である。
【図３】図１におけるＢ−Ｂ線端面図である。
【発明を実施するための形態】
【００１５】
以下本発明の実施の形態を添付図面に基づき詳細に説明する。
図１はメタルマスク版１０の底面図（プリント基板側から見た図面）、図２は図１におけるＡ−Ａ線端面図（ハッチングを省略）、図３は図１におけるＢ−Ｂ線端面図（ハッチングを省略）である。
本実施の形態に係るメタルマスク版１０は、四角形の版枠１２の内側に、版枠１２よりも小さな四角形のメタルマスク１４が、該メタルマスク１４の各辺のエッジ部と版枠１２の対向する内壁との間に所要の間隔が開くようにして、紗１６を介して張設されたメタルマスク版である。
【００１６】
そして、メタルマスク版１０は、メタルマスク１４の各辺に外方に延びる１または複数の連結片１４ａが形成され、該連結片１４ａが版枠１２に固定されていることを特徴とする。
図１に示すメタルマスク版１０においては、連結片１４ａを、メタルマスク１４の各辺の中央部と両端部の３箇所に設けている。
【００１７】
なお、版枠１２は、例えばアルミニウム合金製のものとすることができる。
また、紗１６は、ポリエステル紗、テトロン紗、ステンレス紗など公知の網状シートからなる紗を用いることができる。
紗１６は、中央部をカットして設けられている。この中央部をカットした紗１６を、版枠１２とメタルマスク１４の周縁部とに橋渡し状にして介在させて、版枠１２と紗１６の間、および紗１６とメタルマスク１４の周縁部との間を接着剤（図示せず）により接着し、これによりメタルマスク１４を所要のテンションを付与した状態で版枠１２に張設するようにしている。
【００１８】
メタルマスク１４はステンレス製ものとすることができる。
メタルマスク１４には、プリント基板（図示せず）のクリームはんだを塗布するパターンに応じて、クリームはんだを刷り込む透孔（図示せず）が形成される。
メタルマスク１４の厚さは特に限定されないが、１００μｍ前後、場合によって、５０μｍ前後の薄いものも用いられる。
【００１９】
連結片１４ａも接着剤（図示せず）を用いて版枠１２に固定するとよい。
連結片１４ａの幅は、中央部のものを両端部のものよりも幅広とすると好適である。
連結片１４ａの形状は特に限定されないが、長方形状、版枠１２側が幅広となる台形状、中途部が湾曲する形状などに形成することができる。上記台形状に形成すれば、版枠１２との接着強度が増すので好適である。
連結片１４ａを版枠１２に固定することによって、メタルマスク１４を高い張力で版枠１２に張設することができるが、紗１６の弾性が適宜に維持されるように、連結片１４ａの数、幅が設定される。
なお、図示しないが、連結片１４ａや紗１６の部分を覆って、目隠し用の樹脂シートを貼付するようにしてもよい。
【００２０】
本実施の形態に係るメタルマスク版１０、およびメタルマスク版用メタルマスク１４は上記のように構成されている。
プリント基板上の所要部位にクリームはんだを印刷するのは、常法によって行える。
すなわち、メタルマスク版１０を位置決めしてプリント基板上に配設し、メタルマスク１４上にクリームはんだを供給し、図示しないスキージを所要押圧力でメタルマスク１４に圧接させつつメタルマスク上を移動させ、クリームはんだを透孔に刷り込むことによって、クリームはんだをプリント基板上の所要位置に印刷することができる。
【００２１】
その際、メタルマスク１４はその連結片１４ａが版枠１２に固定されているので、スキージの移動に対し、所要の抗力を有し、スキージの移動方向（横方向）への位置ずれが防止され、プリント基板上の所要位置に正確にクリームはんだを印刷することができる。
また、連結片１４ａは、メタルマスク１４の各辺の全幅に亘って設けられているわけではないので、紗１６の弾性力は所要に維持され、これにより、スキージからの押圧力が解除された際の、メタルマスク１４の版離れが維持され、プリント基板にクリームはんだを外方ににじませることなくきれいに印刷することができるという効果を奏する。
【００２２】
また、連結片１４ａをメタルマスク１４の各辺の中央部および両端部に設けるようにすれば、各辺の長さ方向において、メタルマスク１４の抗力がバランスよく生じ、メタルマスクの変形を防止できる。
【符号の説明】
【００２３】
１０  コンビネーションメタルマスク版
１２  版枠
１４  メタルマスク
１４ａ  連結片
１６  紗
【図１】
2020032624.tif 000003
【図２】
2020032624.tif 000004
【図３】
2020032624.tif 000005
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
四角形の版枠の内側に、前記版枠よりも小さな四角形のメタルマスクが、該メタルマスクの各辺のエッジ部と前記版枠の対向する内壁との間に所要の間隔が開くようにして、紗を介して張設されたコンビネーションメタルマスク版であって、
前記メタルマスクの各辺の中央部および両端部に連結片が形成され、該連結片が前記版枠に固定されていることを特徴とするコンビネーションメタルマスク版。
【請求項２】
前記版枠と前記紗との間、前記紗と前記メタルマスクとの間、および前記版枠と前記連結片との間が接着剤によって固定されていることを特徴とする請求項１記載のコンビネーションメタルマスク版。
【請求項３】
四角形の版枠の内側に、前記版枠よりも小さな四角形のメタルマスクが、該メタルマスクの各辺のエッジ部と前記版枠の対向する内壁との間に所要の間隔が開くようにして、紗を介して張設されるコンビネーションメタルマスク版用の、前記メタルマスクであって、
各辺の中央部および両端部に、前記版枠に固定される連結片が形成されていることを特徴とするコンビネーションメタルマスク版用メタルマスク。
【手続補正２】
【補正対象書類名】明細書
【補正対象項目名】００１０
【補正方法】変更
【補正の内容】
【００１０】
上記目的を達成するため、本発明は次の構成を備える。
すなわち、本発明に係るスクリーン印刷用マスク装置は、上記の目的を達成するため、本発明は次の構成を備える。
すなわち、本発明に係るコンビネーションメタルマスク版は、四角形の版枠の内側に、前記版枠よりも小さな四角形のメタルマスクが、該メタルマスクの各辺のエッジ部と前記版枠の対向する内壁との間に所要の間隔が開くようにして、紗を介して張設されたコンビネーションメタルマスク版であって、前記メタルマスクの各辺の中央部および両端部に連結片が形成され、該連結片が前記版枠に固定されていることを特徴とする。
【手続補正３】
【補正対象書類名】明細書
【補正対象項目名】００１１
【補正方法】変更
【補正の内容】
【００１１】
前記版枠と前記紗との間、前記紗と前記メタルマスクとの間、および前記版枠と前記連結片との間を接着剤によって固定するようにするとよい。
【手続補正４】
【補正対象書類名】明細書
【補正対象項目名】００１２
【補正方法】変更
【補正の内容】
【００１２】
また、本発明に係るコンビネーションメタルマスク版用メタルマスクは、四角形の版枠の内側に、前記版枠よりも小さな四角形のメタルマスクが、該メタルマスクの各辺のエッジ部と前記版枠の対向する内壁との間に所要の間隔が開くようにして、紗を介して張設されるコンビネーションメタルマスク版用の、前記メタルマスクであって、各辺の中央部および両端部に、前記版枠に固定される連結片が形成されていることを特徴とする。